(57)【要約】      （修正有）【課題】使用方法が多数あり、両親などが赤ちゃんの年齢および熟練状態を見て使用方法を適当に選択して使用可能であること。【解決手段】中央には上へ開口する収容空間１１１が設けてあり、底面にはプレート１２２を収容する透かし部１２１が設けてある台座１と、収容部を有する盆体２であり、台座の収容空間を跨る受け盆と、中央には透かした空間が設けてあり、台座の上に設置される座当とを含む。【選択図】図１
0003134426.tif 000002
【実用新案登録請求の範囲】
【請求項１】
中央には上へ開口する収容空間が設けてあり、底面にはプレートを収容する透かし部が設けてある台座と、
収容部を有する盆体であり、前記台座の収容空間を跨る受け盆と、
中央には透かした空間が設けてあり、前記台座の上に設置される座当と、を含むことを特徴とする、
赤ちゃん用便器。
【請求項２】
前記台座の収容空間の周壁には環状突起が設けてあり、受け盆の上縁が外側へ湾折されて張架段になり、前記環状突起に前記張架段を跨り可能であり、前記受け盆の後端が上へ斜めに延びて握り段になり、且つ前記台座の収容空間の周壁の上縁には滑止パッドを組付けるための組付穴が複数に開設してあり、そして前記台座の透かし部の周囲の端面には滑止パッドを組付けるための組付穴が複数に開設してあることを特徴とする、請求項１に記載の赤ちゃん用便器。
【請求項３】
更に、装飾体を含み、前記装飾体は主体部を有し、前記主体部の底部には嵌合柱が凸設してあり、座当の前端には前記主体部にある嵌合柱と嵌合するための溝が設けてあり、前記装飾体の主体部の底部にはフックが設けてあり、前記座当の前端には前記主体部にあるフックと係合するための溝が設けてあり、前記主体部の上段には握り段が設けてあり、前記座当の後端には上へ突起して背当になることを特徴とする、請求項１に記載の赤ちゃん用便器。
【請求項４】
更に、カバーを含み、前記カバーは、前記座当の上方に設置されて前記座当をカバーし、頂端に窪み部が設けてあり、前記窪み部に取っ手が設けてあり、前記カバーの周縁が外側に突出して凸縁になり、前記凸縁により前記カバーを前記座当の上方に設置可能になることを特徴とする、請求項１に記載の赤ちゃん用便器。
【考案の詳細な説明】
【技術分野】
【０００１】
本考案は、赤ちゃん用便器に係り、特に、使用方法が多数あり、両親などが赤ちゃんの年齢および熟練状態を見て使用方法を適当に選択して使用可能な赤ちゃん用便器に関するものである。
【背景技術】
【０００２】
赤ちゃんは生まれてから、人間の生活習慣と知識などを勉強し始める。
【０００３】
また、生活習慣のうちの排泄訓練は、赤ちゃんが生まれて１２ヶ月から訓練可能になり、なお、赤ちゃん用便器を利用して赤ちゃんの排泄訓練を施すことが一般であり、すなわち、赤ちゃんが排泄しようとする場合には、両親などは赤ちゃんを赤ちゃん用便器に座らせることにより、便器を座って排泄する習慣を赤ちゃんに付ける。
【０００４】
また、従来の赤ちゃん用便器には、赤ちゃんが座る座り部が一体成形してあり、且つ前記座り部の中央には、赤ちゃんの排泄物を受ける受け部が凹設してある。しかしながら、従来の赤ちゃん用便器は、一体成形されたものであるので、座り部と受け部とを分離できなく、且つ一般の便器に載せて使用することもできないので、適用可能な赤ちゃんの年齢は１２ヶ月から１８ヶ月までであり、年齢が１８ヶ月以上の赤ちゃんに排泄訓練を施そうとする場合には、従来の赤ちゃん用便器は使用不能になり、一般の便器に載せ可能な赤ちゃん用便器を別に購入することが必要になり、そして小さな階段を購入することも必要になり、そうしないと、赤ちゃんは自分で一般の便器に載せ可能な赤ちゃん用便器に座ることができない。
【考案の開示】
【考案が解決しようとする課題】
【０００５】
本考案の主な目的は、使用方法が多数あり、両親などが赤ちゃんの年齢および熟練状態を見て使用方法を適当に選択して使用可能な赤ちゃん用便器を提供することにある。
【課題を解決するための手段】
【０００６】
上記目的を達成するためになされた本願の第１考案は、中央には上へ開口する収容空間が設けてあり、底面にはプレートを収容する透かし部が設けてある台座と、収容部を有する盆体であり、前記台座の収容空間を跨る受け盆と、中央には透かした空間が設けてあり、前記台座の上に設置される座当と、を含むことを特徴とする赤ちゃん用便器であることを要旨としている。
【０００７】
本願の第２考案では、前記台座の収容空間の周壁には環状突起が設けてあり、受け盆の上縁が外側へ湾折されて張架段になり、前記環状突起に前記張架段を跨り可能であり、前記受け盆の後端が上へ斜めに延びて握り段になり、且つ前記台座の収容空間の周壁の上縁には滑止パッドを組付けるための組付穴が複数に開設してあり、そして前記台座の透かし部の周囲の端面には滑止パッドを組付けるための組付穴が複数に開設してあることを特徴とする、前記第１考案に記載の赤ちゃん用便器であることを要旨としている。
【０００８】
本願の第３考案では、更に、装飾体を含み、前記装飾体は主体部を有し、前記主体部の底部には嵌合柱が凸設してあり、座当の前端には前記主体部にある嵌合柱と嵌合するための溝が設けてあり、前記装飾体の主体部の底部にはフックが設けてあり、前記座当の前端には前記主体部にあるフックと係合するための溝が設けてあり、前記主体部の上段には握り段が設けてあり、前記座当の後端には上へ突起して背当になることを特徴とする、前記第１考案に記載の赤ちゃん用便器であることを要旨としている。
【０００９】
本願の第４考案では、更に、カバーを含み、前記カバーは、前記座当の上方に設置されて前記座当をカバーし、頂端に窪み部が設けてあり、前記窪み部に取っ手が設けてあり、前記カバーの周縁が外側に突出して凸縁になり、前記凸縁により前記カバーを前記座当の上方に設置可能になることを特徴とする、前記第１考案に記載の赤ちゃん用便器であることを要旨としている。
【考案の効果】
【００１０】
本考案の赤ちゃん用便器によれば、使用方法が多数あり、両親などが赤ちゃんの年齢および熟練状態を見て使用方法を適当に選択して使用可能である効果がある。
【考案を実施するための最良の形態】
【００１１】
以下、添付図面を参照して本考案の好適な実施の形態を詳細に説明する。
【００１２】
まず、図１乃至図３を参照する。本考案の赤ちゃん用便器は、台座１と、受け盆２と、座当３と、カバー４と、装飾体５と、を含む。
【００１３】
前記台座１は、図３に示すように、上ハウジング部１１と下ハウジング部１２とを結合して構成され、前記上ハウジング部１１の中央には上へ開口する収容空間１１１が設けてあり、前記収容空間１１１の周壁には環状突起１１２が設けてあり、収容空間１１１の周壁の上縁には滑止パッド１１４を組付けるための組付穴１１３が複数に開設してあり、なお、前記下ハウジング部１２の底面にはプレート１２２を収容する透かし部１２１が設けてあり、前記透かし部１２１の周囲の端面には滑止パッド１２４を組付けるための組付穴１２３が複数に開設してある。
【００１４】
前記受け盆２は、収容部２１を有する盆体であり、上縁が外側へ湾折されて張架段２２になり、後端が上へ斜めに延びて握り段２３になり、前記握り段２３により、ユーザは台座１から受け盆２を容易に取り出すことができる。
【００１５】
前記座当３は、中央には透かした空間３１が設けてあり、環状体を呈し、前端に嵌め穴３２が設けてあり、前記嵌め穴３２の一側に溝３３が設けてあり、前記座当３の後端が上へ突起して背当３４になる。
【００１６】
前記カバー４は、頂端に窪み部４１が設けてあり、前記カバー４を容易に持ち上げ可能にするために、前記窪み部４１に取っ手４２が設けてあり、且つ前記カバー４の周縁が外側に突出して凸縁４３になる。
【００１７】
前記装飾体５は、図３に示すように、主体部５１を有し、前記主体部５１の上段には赤ちゃんが握り可能な握り段５２が設けてあり、また、前記主体部５１の底部には嵌合柱５３が凸設してあり、なお、前記嵌合柱５３の一側にはフック５４が設けてある。
【００１８】
本考案の赤ちゃん用便器の組付方法は、図１乃至図３に示すように、まず、台座１の収容空間１１１に受け盆２を設置して、受け盆２の上縁の外側に湾折された張架段２２により、受け盆２が台座１の環状突起１１２を跨り可能であり、そうすると、台座１の内部に受け盆２を安定に張架することができ、また、台座１の上端に座当３を設置して、座当３の底面に台座１の上縁にある滑止パッド１１４を貼り付けることにより、座当３が容易に移動不能になり、次に、カバー４の周縁が外側に突出して凸縁４３になるので、カバー４で座当３の中央にある透かした空間３１をカバーするときに、カバー４がちょうど座当３の空間３１の上を跨るようになり、また、装飾体５の嵌合柱５３とフック５４とは、座当３の前端にある嵌め穴３２と溝３３とにそれぞれ対応し係合するので、装飾体５が座当３に固定されるようになる。
【００１９】
また、図４を参照する。図４に示すのは本考案の使用状態１の赤ちゃん用便器であって、主に、図２に示すカバー４を座当３から取り外して、装飾体５を前に設置し、そうすると、１２ヶ月以上の赤ちゃんの排泄訓練を実施することができる。また、図５を参照する。図５に示すのは本考案の使用状態２の赤ちゃん用便器であって、赤ちゃん用便器の座当３の後端にある背当３４を前にすることにより、１２ヶ月以上の赤ちゃんの排泄訓練を実施することもできる。
【００２０】
また、図６乃至図９を参照する。図６乃至図９に示すのは本考案の使用状態３と使用状態４との赤ちゃん用便器であって、まず、台座１から装飾体５が設けられた座当３を取り外して、前記座当３を一般の便器６に設置することにより、１８ヶ月以上の赤ちゃんの排泄訓練を実施することができ、また、便器６の高さがやや高い場合には、台座１の底面の透かし部１２１の上でプレート１２２を設置し、台座１の上にある環状突起１１２によりプレート１２２が安定に支持され、そうすると、上記組合体は一般の便器に登るための階段とすることができる。また、図７と図８に示すように、装飾体５を前にしてもいいし、図９に示すように、背当３４を前にしてもいい。
【００２１】
また、図１０と図１１を参照する。図１０と図１１とに示すのは本考案の使用状態５と使用状態６との赤ちゃん用便器であって、主に、図８と図９とに示す使用状態３と使用状態４との赤ちゃん用便器の座当３に設けられた装飾体５を取り外し、そうすると、２４ヶ月以上の赤ちゃんの排泄訓練を実施することができる。
【図面の簡単な説明】
【００２２】
【図１】本考案の分解斜視図である。
【図２】本考案の組合状態の斜視図である。
【図３】本考案の組合状態の正面断面図である。
【図４】本考案の使用状態１を示す概略図である。
【図５】本考案の使用状態２を示す概略図である。
【図６】本考案の使用状態３を示す概略図１である。
【図７】本考案の使用状態３を示す概略図２である。
【図８】本考案の使用状態３を示す概略図３である。
【図９】本考案の使用状態４を示す概略図である。
【図１０】本考案の使用状態５を示す概略図である。
【図１１】本考案の使用状態６を示す概略図である。
【符号の説明】
【００２３】
１        台座                  １１      上ハウジング部
１１１    収容空間              １１２    環状突起
１１３    組付穴                １１４    滑止パッド
１２      下ハウジング部        １２１    透かし部
１２２    プレート              １２３    組付穴
１２４    滑止パッド            ２        受け盆
２１      収容部                ２２      張架段
２３      握り部                ３        座布団
３１      空間                  ３２      嵌め穴
３３      溝                    ３４      背当
４        カバー                ４１      窪み部
４２      取っ手                ４３      凸縁
５        装飾体                ５１      主体部
５２      握り段                ５３      嵌合柱
５４      フック                ６        便器
【図１】
0003134426.tif 000003
【図２】
0003134426.tif 000004
【図３】
0003134426.tif 000005
【図４】
0003134426.tif 000006
【図５】
0003134426.tif 000007
【図６】
0003134426.tif 000008
【図７】
0003134426.tif 000009
【図８】
0003134426.tif 000010
【図９】
0003134426.tif 000011
【図１０】
0003134426.tif 000012
【図１１】
0003134426.tif 000013